(57)【要約】【課題】タンクを貫通して配置される部材を容易に配置でき、かつ、水が供給されるときに発生する水の飛沫が外に漏れることを防げるタンクを提供すること。【解決手段】タンク２０は、上面が開口したタンク本体２１と、タンク本体２１の側壁における上端縁から切り欠かれた切り欠き部２３と、タンク本体２１の上面に配置される蓋部２２と、蓋部２２の下面から下方に延びるように設けられ、切り欠き部２３の少なくとも一部を塞ぐ蓋側壁部２２６と、を備える。【選択図】図１０
2015190269.tif 000002
【特許請求の範囲】
【請求項１】
上面が開口したタンク本体と、
前記タンク本体の側壁における上端縁から切り欠かれた切り欠き部と、
前記タンク本体の上面に配置される蓋部と、
前記蓋部の下面から下方に延びるように設けられ、前記切り欠き部の少なくとも一部を塞ぐ蓋側壁部と、を備えるタンク。
【請求項２】
前記タンク本体は、該タンク本体の内部に水を供給する給水部が配置される給水部配置部を有し、
前記切り欠き部は、前記給水部配置部の近傍に形成される請求項１に記載のタンク。
【請求項３】
前記タンク本体に形成され前記給水部の一部を構成する給水管が挿通される貫通穴を更に備える請求項２に記載のタンク。
【請求項４】
前記切り欠き部の幅は、該切り欠き部に配置される部材の幅よりも広く形成され、
前記蓋側壁部は、前記切り欠き部における前記部材が配置されていない領域を塞ぐ請求項１〜３のいずれかに記載のタンク。
【発明の詳細な説明】
【技術分野】
【０００１】
本発明は、タンクに関する。より詳細には、便器を洗浄する洗浄水を貯留するタンクに関する。
【背景技術】
【０００２】
従来、便器を洗浄する洗浄水を貯留するタンクとして、上面が開口し内部にボールタップが配置されるタンク本体と、このタンク本体の上面に配置されタンク本体の上面を塞ぐ蓋部と、を備えるタンクが用いられている（例えば、特許文献１参照）。
このようなタンクの側壁には、ボールタップに水を供給する給水管等の配管をタンクの内部に導入したり、タンクの外部からボールタップを操作するための操作部材をボールタップに接続したりするために、貫通穴が形成される。
【先行技術文献】
【特許文献】
【０００３】
【特許文献１】特開２０１３−１３９６８１号公報
【発明の概要】
【発明が解決しようとする課題】
【０００４】
しかしながら、このように、タンク本体の側壁に貫通穴を形成すると、貫通穴に通された部材と貫通穴との間に隙間が生じてしまう場合がある。そして、貫通穴に隙間が形成された場合には、タンクに水が供給されるときに発生する水の飛沫が隙間からタンクの外部に漏れ出してしまうおそれがある。
【０００５】
従って、本発明は、タンクを貫通して配置される部材を容易に配置でき、かつ、水が供給されるときに発生する水の飛沫が外に漏れることを防げるタンクを提供することを目的とする。
【課題を解決するための手段】
【０００６】
本発明は、上面が開口したタンク本体（例えば、後述のタンク本体２１）と、該タンク本体の側壁（例えば、後述の後壁部２１６）における上端縁から切り欠かれた切り欠き部（例えば、後述の切り欠き部２３）と、前記タンク本体の上面に配置される蓋部（例えば、後述の蓋部２２）と、前記蓋部の下面から下方に延びるように設けられ、前記切り欠き部の少なくとも一部を塞ぐ蓋側壁部（例えば、後述の蓋側壁部２２６）と、を備えるタンクに関する。
【０００７】
また、前記タンク本体は、該タンク本体の内部に水を供給する給水部（例えば、後述の給水部７０）が配置される給水部配置部（例えば、後述の給水部配置部２５）を有し、前記切り欠き部は、前記給水部配置部の近傍に形成されることが好ましい。
【０００８】
また、タンクは、前記タンク本体に形成され前記給水部の一部を構成する給水管（例えば、後述の第１給水管）が挿通される貫通穴（例えば、後述の貫通穴２４）を更に備えることが好ましい。
【０００９】
また、前記切り欠き部の幅は、該切り欠き部に配置される部材（例えば、後述の水抜操作部７２４）の幅よりも広く形成され、前記蓋側壁部は、前記切り欠き部における前記部材が配置されていない領域を塞ぐことが好ましい。
【発明の効果】
【００１０】
本発明のタンクによれば、タンク本体を貫通する部材を配置する場合に切り欠き部を利用して部材を配置でき、また、部材と切り欠き部との間に隙間が形成されても隙間を蓋側壁部により塞げる。よって、タンクに水が供給されるときに発生する水の飛沫が隙間からタンクの外部に漏れ出してしまうことを防げる。また、タンク本体を貫通する部材を容易に配置できる。
【図面の簡単な説明】
【００１１】
【図１】本発明のタンクを備える収納部付き便器装置を示す斜視図である。
【図２】収納部付き便器装置の分解斜視図である。
【図３】給水部が設置されたタンク本体を上面側から視た図である。
【図４】タンク本体を背面側から視た斜視図である。
【図５】タンク本体の背面図であり、切り欠き部の近傍を拡大して示す図である。
【図６】蓋部を背面側から視た斜視図である。
【図７】蓋部を、図６の矢印Ｂ面に視た図である。
【図８】タンクを組み立てる手順を示した図であり、図３のＡ−Ａ線断面に対応する図である。
【図９】タンクを組み立てる手順を示した図であり、図８に示すタンク本体に給水部を配置した状態を示す図である。
【図１０】タンクを組み立てる手順を示した図であり、図９に示すタンク本体の上面に蓋部を配置した状態を示す図である。
【発明を実施するための形態】
【００１２】
以下、本発明のタンクの好ましい一実施形態について、図面を参照しながら説明する。
まず、本発明の一実施形態に係るタンク２０を備える収納部付き便器装置１００の全体構成について説明する。
【００１３】
本実施形態の収納部付き便器装置１００は、図１及び図２に示すように、便器１０と、タンク２０と、給水部７０と、手洗い器３０と、排水管４０と、収納部５０と、排水管４０を支持する排水管トレー６０と、を備える。
便器１０は、便器本体１１と、この便器本体１１の上部に便器本体１１に対して開閉可能に取り付けられる便座（図示せず）及び便蓋１２と、を含んで構成される。
【００１４】
タンク２０は、便器１０の後方かつ上方に配置され、便器本体１１を洗浄する洗浄水を貯留する。このタンク２０は、図２に示すように、タンク本体２１と、蓋部２２と、を備える。
タンク本体２１は、図３及び図４に示すように、底面部２１１と、この底面部２１１から起立する複数の側壁と、側壁に形成される切り欠き部２３及び貫通穴２４と、を備え、上面が開口した箱状に形成される。
底面部２１１には、タンク２０に貯留された洗浄水を便器１０に放出する放出口２１１ａが形成され、この放出口２１１ａには、排水弁２１１ｂが配置される。この排水弁２１１ｂは、鎖を介して操作レバー（いずれも図示せず）に接続されており、操作レバーの操作により開閉される。
【００１５】
側壁は、タンク本体２１の前面を構成する前壁部２１５と、タンク本体２１の背面を構成する後壁部２１６と、タンク本体２１の側面を構成する一対の側壁部２１７，２１８と、を備える。本実施形態では、前壁部２１５と後壁部２１６とは、略平行に配置される。また、前壁部２１５の水平方向の長さは、後壁部２１６の水平方向の長さよりも長く構成される。そして、一方の側壁部２１７は、図３に示すように、前端部が前壁部２１５に接続され前壁部２１５に対して略垂直に延びる前側側壁部２１７ａと、後端部が後壁部２１６に接続され後壁部２１６に対して略垂直に延びる後側側壁部２１７ｂと、前側側壁部２１７ａの後端部と後側側壁部２１７ｂの前端部とをつなぐと共に、前壁部２１５及び後壁部２１６に略水平に延びる中央側壁部２１７ｃと、を備える。
【００１６】
切り欠き部２３は、後壁部２１６に形成される。より詳細には、切り欠き部２３は、後壁部２１６と後側側壁部２１７ｂとにより形成される角部２１９の近傍に形成される。切り欠き部２３は、後壁部２１６の上端縁の一部が切り欠かれて形成されている。この切り欠き部２３は、図５に示すように、角部２１９側の側面が略鉛直方向に延びる鉛直面となっている。また、底面は水平面となっており、角部２１９と反対側の側面は、上り傾斜面及び鉛直面により構成されている。即ち、切り欠き部２３は、タンク本体２１を背面側から視た場合において、上端縁側の幅（水平方向の長さ）が底面の幅よりも広い形状に形成される。この切り欠き部２３の上端縁の幅は、後述するように、この切り欠き部２３に配置される部材の幅よりも広く形成される。
貫通穴２４は、後側側壁部２１７ｂにおける上部に形成される。即ち、本実施形態では、貫通穴２４及び切り欠き部２３は、角部２１９の近傍に形成される。
【００１７】
以上のタンク本体２１の内部には、給水部７０が配置される給水部配置部２５が設けられる。本実施形態では、給水部配置部２５は、切り欠き部２３及び貫通穴２４が形成された角部２１９の近傍に設けられる。
【００１８】
ここで、給水部７０の構成について、図３を参照しながら説明する。
給水部７０は、第１給水管７１と、ボールタップ７２と、第２給水管７３と、第１吐出部７４及び第２吐出部７５と、を萎える。
第１給水管７１は、外部の給水源（図示せず）からタンク２０の内部に水を供給する。ボールタップ７２は、タンク本体２１の内部（給水部配置部２５）に配置される。このボールタップ７２には、貫通穴２４を通じて第１給水管７１の先端側が接続される。ボールタップ７２は、タンク２０の水位に応じて、第１給水管７１からタンク２０への給水を開始又は停止させる。
【００１９】
ボールタップ７２は、給水弁（図示せず）を有する本体７２１と、水位に連動して昇降するフロート７２２と、給水弁とフロート７２２とを連結する連結アーム７２３と、水抜操作部７２４と、を備える。
【００２０】
水抜操作部７２４は、切り欠き部２３に取り付けられると共に、本体７２１に接続される。この水抜操作部７２４は、開状態において少量の水を第２給水管７３側に流通させる流動弁（図示せず）と、この流動弁を開閉させる操作ケーブル７２４ａと、この操作ケーブル７２４ａを操作する操作ダイアル（図示せず）と、を備える。水抜操作部７２４は、流動弁がタンク２０の内部側に配置され、操作ケーブル７２４ａ及び操作ダイアルがタンク２０の外部に配置される。即ち、水抜操作部７２４は、切り欠き部２３を介してタンク２０を貫通して配置される。
【００２１】
以上のボールタップ７２によれば、タンク２０の水位が低下した場合には、フロート７２２が下方に移動することで、給水弁が開状態となり、タンク２０への給水が開始される。また、タンク２０の水位が所定水位まで上昇した場合には、フロート７２２が上方に移動することで、給水弁が閉状態となり、タンク２０への給水が停止される。
また、水抜操作部７２４の操作ダイアルを操作して流動弁を開状態にすることで、給水弁の閉状態においても流動弁を介して少量の水を第２給水管７３側に流通させられる。これにより、例えば、寒冷地等の冬季に給水部の凍結のおそれがある地域において、少量の水を連続的に流通させられるので、給水部７０の凍結を防げる。
【００２２】
第２給水管７３は、ボールタップ７２の下流側に接続され、手洗い器３０側に水を供給する。具体的には、第２給水管７３の先端側には、後述の手洗い側給水配管３３，３４が接続され（図２参照）、これら手洗い側給水配管３３，３４を通じて手洗い器３０に水が供給される。
第１吐出部７４及び第２吐出部７５は、第２給水管７３から分岐しタンク２０の内部に水を吐出する。具体的には、第１吐出部７４は、タンク２０に貯留するための水を吐出する。第２吐出部７５は、タンク２０の内部に配置されたオーバーフロー管２１１ｃに向けて水を吐出する。オーバーフロー管２１１ｃに吐出された水は、便器１０に補給水として供給される。
【００２３】
次に、蓋部２２について説明する。
蓋部２２は、タンク本体２１の上面に配置され、タンク本体２１の上面を覆う。この蓋部２２は、図６及び図７に示すように、蓋本体２２１と、導入口２２２と、立ち上がり部２２３と、導出口２２４と、上側周壁部２２５と、蓋側壁部２２６と、下側周壁部２２７と、を備える。
【００２４】
蓋本体２２１は、板状に形成されタンク本体２１の開口を覆う。蓋本体２２１の上面は、略中央部に配置される平面部２２１ａと、この平面部２２１ａに向かって緩やかに下り傾斜した複数の傾斜面部２２１ｂと、を有している。
【００２５】
導入口２２２は、平面部２２１ａに形成される。本実施形態では、導入口２２２は、円形に形成される。
立ち上がり部２２３は、蓋本体２２１の上面における導入口２２２の周囲から筒状に立ち上がって形成される。
導出口２２４は、蓋本体２２１における導入口２２２よりも背面側に形成される。この導出口２２４には、後述の手洗い側給水配管３４が挿通される（図２参照）。
上側周壁部２２５は、蓋本体２２１の周縁の近傍に設けられ、蓋本体２２１の上面から起立する。上側周壁部２２５は、蓋本体２２１の全周に亘って設けられる。
【００２６】
蓋側壁部２２６は、蓋本体２２１の下面から下方に延びるように設けられる。蓋側壁部２２６は、蓋部２２をタンク本体２１の開口を覆うように配置した場合に、切り欠き部２３に対応する位置に配置され、この切り欠き部２３の一部を塞ぐ。本実施形態では、蓋側壁部２２６は、切り欠き部２３における角部２１９と反対側の上り傾斜面及び鉛直面部分を塞ぐ位置及び形状に形成される。
【００２７】
下側周壁部２２７は、蓋本体２２１の周縁の近傍に設けられ、蓋本体２２１の下面から下方に延出する。
蓋部２２は、例えば、蓋部２２の上面側の形状に対応した形状の上金型と蓋部２２の下面側の形状に対応した形状の下金型とを用いて、合成樹脂を一体成形することで形成される。
【００２８】
本実施形態では、タンク２０は、タンク本体２１の内部に給水部７０（ボールタップ７２）が設置された後、蓋部２２によりタンク本体２１の上面が塞がれて、組み立てられる。図８〜図１０は、タンク２０を組み立てる手順を示した図であり、図３のＡ−Ａ線断面に対応する図である。
ここで、タンク本体２１に給水部７０を設置する前の状態では、タンク本体２１の上面は開放されており、また、図８に示すように、切り欠き部２３においてもタンク本体２１の外部と内部とは連通している。また、貫通穴２４においてもタンク本体２１の外部と内部とは連通している。
【００２９】
この状態から、この角部２９１に給水部７０（ボールタップ７２）を設置する。ボールタップ７２は、図３に示すように、本体７２１がタンク本体２１の内部（給水部配置部２５）に配置されると共に、水抜操作部７２４が切り欠き部２３に取り付けられる。
【００３０】
すると、図９に示すように、切り欠き部２３における角部２１９側は水抜操作部７２４により塞がれ、切り欠き部２３における角部２１９と反対側の上り傾斜面及び鉛直面部分においてタンク本体２１の外部と内部とが連通した状態となる。また、第１給水管７１と本体７２１とが貫通穴２４の近傍において接続されることで、貫通穴２４は塞がれる（図示せず）。
尚、この状態では、給水部７０における第１吐出部７４は、切り欠き部２３の近傍に配置されている。
【００３１】
ここで、本実施形態では、切り欠き部２３の水平方向の長さ（幅）を、この切り欠き部２３に取り付けられる水抜操作部７２４の幅よりも広く構成している。これにより、水抜操作部７２４を切り欠き部２３に容易に取り付けられる。
即ち、タンク本体２１に給水部７０を設置する場合には、ボールタップ７２を、タンク本体２１の上方から下方に移動させて本体７２１をタンク本体２１の内部（給水部配置部２５）に位置させると共に、この給水部配置部２５に位置させたボールタップ７２を若干水平方向に移動させて貫通穴２４において第１給水管７１と本体７２１とを接続する。そのため、本実施形態のように、切り欠き部２３の水平方向の長さ（幅）を、切り欠き部２３に取り付けられる水抜操作部７２４の幅よりも広く構成することで、給水部７０をタンク本体２１に設置する場合における上述の動作において、後壁部２１６が水抜操作部７２４に干渉することを防げ、給水部７０のタンク本体２１への設置を容易に行える。
【００３２】
次いで、給水部７０が取り付けられた状態のタンク本体２１の上面に蓋部２２を配置する。すると、図１０に示すように、切り欠き部２３における水抜操作部７２４により塞がれていない部分が蓋側壁部２２６により塞がれる。また、タンク本体２１の上面の開口は蓋本体２２１により塞がれる。これにより、切り欠き部２３が水抜操作部７２４及び蓋側壁部２２６により塞がれるので、たとえ、タンク２０の内部に水を吐出する第１吐出部７４が切り欠き部２３の近傍に配置されていた場合であっても、第１吐出部７４から吐出される水の飛沫を切り欠き部２３から外に漏れにくくできる。また、貫通穴ではなく、切り欠き部２３に水抜操作部７２４を取り付けることで、タンク２０を貫通して配置される部材を容易に配置できる。
【００３３】
図１及び図２に戻って、手洗い器３０について説明する。
手洗い器３０は、タンク２０の側方かつ上方に配置される。この手洗い器３０は、手洗い鉢３１と、手洗い吐水管３２と、を備える。
手洗い鉢３１は、手洗い吐水管３２から吐出される手洗い水を受ける。この手洗い鉢３１の底部には、排水口３１１が形成されている。手洗い吐水管３２は、手洗い鉢３１から起立するように配置される。この手洗い吐水管３２の先端部は、下方に開口している。
手洗い吐水管３２の基端部は、手洗い側給水配管３３，３４を介して給水部７０（第２給水管７３）に接続される。
【００３４】
以上の手洗い器３０には、タンク２０に供給される洗浄水の一部が、手洗い側給水配管３３，３４を介して手洗い吐水管３２に供給される。これにより、給水部７０の動作によりタンク２０に洗浄水が貯留される場合に、この貯留される洗浄水の一部が手洗い吐水管３２から吐出される。
【００３５】
排水管４０は、タンク２０と手洗い器３０とを接続し、手洗い器３０から排出される排水をタンク２０に導く。排水管４０は、柔軟性を有する管本体部４１と、手洗い器３０に接続される手洗い器接続部４２と、タンク２０に接続されるタンク接続部４３と、を備える。
管本体部４１は、山折り部及び谷折り部が繰り返されて形成された蛇腹構造部を有して構成される。これにより、管本体部４１は、屈曲及び伸縮自在に構成される。
【００３６】
手洗い器接続部４２は、排水管４０の上流側の端部を構成し、手洗い鉢３１の排水口３１１に接続される。本実施形態では、手洗い器接続部４２は、屈曲部を有する形状に形成される。
タンク接続部４３は、排水管４０の下流側の端部を構成し、タンク２０の蓋部２２に接続される。より具体的には、タンク接続部４３の先端部は、蓋部２２の立ち上がり部２２３の外径よりも若干大きな内径を有する筒状に形成される。そして、このタンク接続部４３の先端部を立ち上がり部２２３に嵌め、その後、ピンバンド（図示せず）等によりこれらの接続部分を締め付けることで、排水管４０とタンク２０とが接続される。
以上の排水管４０は、例えば、樹脂部材を一体成型することで形成され、管本体部４１において柔軟性を有し、手洗い器接続部４２及びタンク接続部４３においては柔軟性を有さないように構成される。
【００３７】
収納部５０は、便器１０の後方に配置され、タンク２０及び排水管４０を収納する。また、この収納部５０の上部には手洗い器３０が設けられる。収納部５０は、例えば、収納部付き便器装置１００を設置するトイレルームの一の壁面に沿うように配置される。
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、備える。
【００３８】
収納部本体５１は、前板５１１と、一対の扉板５１２Ｌ，５１２Ｒと、天板５１３と、を含んで構成される。前板５１１は、タンク２０の前面側に配置されタンク２０の前面を覆う。前板５１１の幅は、便器１０の幅よりも若干広く形成される。
一対の扉板５１２Ｌ，５１２Ｒは、前板５１１の両側部にそれぞれ、前板５１１に沿って配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００３９】
天板５１３は、収納部５０の上面を構成する。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。
【００４０】
一対の仕切り板５２Ｌ，５２Ｒは、前板５１１の幅方向のそれぞれの端部に、前板５１１に直交して配置される。即ち、一対の仕切り板５２Ｌ，５２Ｒは、タンク２０を幅方向に挟むように配置され、収納部本体５１の内部を幅方向に区画する。
仕切り板５２Ｌ，５２Ｒの上端部は、タンク２０の上端部よりも高い位置に位置する。また、仕切り板５２Ｌ，Ｒの上端部には、排水側切り欠き部５２２と、給水側切り欠き部５２３と、が形成される。
【００４１】
排水側切り欠き部５２２には、後述の排水管トレー６０を介して排水管４０が配置される。給水側切り欠き部５２３には、手洗い側給水配管３３が配置される。言い換えれば、排水側切り欠き部５２２は、排水管４０の延びる方向に交差（直交）する方向に沿って配置される。また、給水側切り欠き部５２３は、手洗い側給水配管３３の延びる方向に交差（直交）する方向に沿って配置される。
排水側切り欠き部５２２の深さは、排水管４０の直径よりも深く形成される。給水側切り欠き部５２３の深さは、手洗い側給水配管３３の直径よりも深く形成される。排水側切り欠き部５２２への排水管４０の取り付け構造については、後述する。
【００４２】
一対の仕切り板５２Ｌ，Ｒの前面には、ビス５２１を介して前板５１１が固定される。また、一対の仕切り板５２Ｌ，Ｒの上面には、天板５１３が固定される。
尚、仕切り板５２Ｌ，５２Ｒには、タンク２０に洗浄水を供給する給水管や、上述のフロート弁を操作するための部材（図示せず）等を通すための貫通穴が形成される。
【００４３】
背板５３は、タンク２０の後面側における上方に配置される。背板５３は、一対の仕切り板５２Ｌ，５２Ｒの上部をつなぐ。
【００４４】
以上の収納部５０によれば、収納部本体５１の幅方向の中央部にタンク２０が収納（配置）される。また、手洗い器３０は、収納部本体５１の左側部の上部に配置される。また、収納部本体５１の内部における一対の仕切り板５２Ｌ，５２Ｒの幅方向の外側には、それぞれ、物品を収納可能な物品収納空間が形成される。そして、扉板５１２Ｌ，５１２Ｒを開閉させることで、この物品収納空間に物品を出し入れできる。
尚、収納部５０の側面は、トイレルームの壁面を利用することで、収納部５０の側面を構成する板材を含むことなく収納部本体５１を構成できる。
【００４５】
排水管トレー６０は、図２に示すように、仕切り板５２Ｌに取り付けられ、排水管４０を支持する。この排水管トレー６０は、排水管支持部６１と、差込部６２と、リブ部６３と、を備える。
排水管支持部６１は、筒状に構成されると共に、この筒状の周面に形成され長手方向に延びる開口部６１１を有して構成される。開口部６１１は、排水管支持部６１を水平方向に向けた場合における上面に形成され、排水管支持部６１の長手方向の全長に亘って延びる。開口部６１１の幅は、排水管支持部６１に差し込まれる排水管４０の直径よりも小さく形成される。
【００４６】
差込部６２は、排水管支持部６１の長手方向の中央部における開口部６１１が形成された側と反対側（下面側）に配置される。差込部６２は、仕切り板５２Ｌに形成された排水側切り欠き部５２２に差し込まれ、これにより、排水管トレー６０が仕切り板５２Ｌに固定される。
【００４７】
リブ部６３は、排水管支持部６１における長手方向の一端部に配置される。このリブ部６３は、排水管支持部６１の端部から下方に向かって延出する。
【００４８】
以上の排水管トレー６０は、差込部６２を排水側切り欠き部５２２に差し込んだ場合に、リブ部６３がタンク２０側に位置し、かつ、排水管支持部６１が手洗い器３０側からタンク２０側に向かって下り傾斜となるように仕切り板５２Ｌに固定される。これにより、排水管トレー６０を仕切り板５２Ｌに固定した状態で、排水管支持部６１を手洗い器３０側からタンク２０側に向かって下り傾斜させられる。
【００４９】
以上の収納部付き便器装置１００によれば、手洗い器３０とタンク２０とを接続する排水管４０を、略水平方向に延びる部分（管本体部４１）が排水管トレー６０（排水管支持部６１）に支持された状態で、安定的に配置できる。また、排水管支持部６１が手洗い器３０側からタンク２０側に向かって下り傾斜しているので、手洗い器３０から排出されて排水管４０を流れる排水を、逆流させることなくタンク２０に導入できる。
【００５０】
また、タンク２０を、タンク本体２１に形成した切り欠き部２３と、蓋部２２の下面から下方に延びるように設けた蓋側壁部２２６と、を含んで構成した。これにより、タンク本体２１を貫通する部材である水抜操作部７２４を配置する場合に、切り欠き部２３を利用して水抜操作部７２４を配置でき、また、水抜操作部７２４と切り欠き部２３との間に隙間が形成されても隙間を蓋側壁部２２６により塞げる。よって、タンク２０に水が供給されるときに発生する水の飛沫が隙間からタンク２０の外部に漏れ出してしまうことを防げる。また、タンク本体２１を貫通する部材を容易に配置できる。
【００５１】
また、切り欠き部２３を給水部配置部２５の近傍に形成した。これにより、給水部７０がタンク本体２１を貫通する部材（水抜操作部７２４）を含んで構成されていた場合であっても、水抜操作部７２４を切り欠き部２３に配置することで容易に設置できると共に、切り欠き部２３と水抜操作部７２４との隙間を蓋側壁部２２６により好適に塞げる。よって、給水部７０からタンク本体２１の内部に吐出される水の飛沫がタンク２０の外部に漏れ出すことを効果的に防げる。
【００５２】
また、切り欠き部２３の幅（水平方向の長さ）を、この切り欠き部２３に配置される水抜操作部７２４の幅よりも広く形成し、蓋側壁部２２６に切り欠き部２３における水抜操作部７２４が配置されていない領域を塞がせた。これにより、水抜操作部７２４を切り欠き部２３に配置する場合に、水抜操作部７２４を設置位置に位置させるまでの経路を確保できる（つまり、水抜操作部７２４を水平方向に移動させるための空間を形成できる）ので、水抜操作部７２４の取り付けをより容易に行える。
【００５３】
以上、本発明のタンク２０の好ましい一実施形態について説明したが、本発明は、上述した実施形態に制限されるものではなく、適宜変更が可能である。
例えば、本実施形態では、切り欠き部２３に水抜操作部７２４を配置したが、これに限らない。即ち、切り欠き部に他の部材を配置してもよい。
【００５４】
また、本実施形態では、切り欠き部２３を、給水部７０が配置される位置の近傍に形成したが、これに限らない。即ち、切り欠き部２３を、給水部が配置される位置と離れた位置に形成し、蓋部に、この切り欠き部の少なくとも一部を塞ぐ蓋側壁部を形成してもよい。
【００５５】
また、本実施形態では、切り欠き部２３を後壁部２１６に形成したが、これに限らない。即ち、切り欠き部を前壁部や側壁部に形成してもよい。
【符号の説明】
【００５６】
２０  タンク
２１  タンク本体
２２  蓋部
２３  切り欠き部
２４  貫通穴
２５  給水部配置部
７０  給水部
７１  第１給水管（給水管）
２１６  後壁部（側壁）
２２６  蓋側壁部
７２４  水抜操作部（部材）
【図１】
2015190269.tif 000003
【図２】
2015190269.tif 000004
【図３】
2015190269.tif 000005
【図４】
2015190269.tif 000006
【図５】
2015190269.tif 000007
【図６】
2015190269.tif 000008
【図７】
2015190269.tif 000009
【図８】
2015190269.tif 000010
【図９】
2015190269.tif 000011
【図１０】
2015190269.tif 000012